(57)【要約】【課題】室内の温湿度を検出する手段を有する送風装置において、運転を停止している場合でも利便性を向上できる送風装置を提供する。【解決手段】運転を停止している待機時にも送風ファンを間欠運転するとともに、ルーバーや首振り機能を活用して使用者に吹き出した風が直接当たらないようにする。さらに、環境条件が所定の条件を逸脱する場合に、警報を発することを特徴とする。【選択図】  図１
2014238231.tif 000002
【特許請求の範囲】
【請求項１】
室内の空気を吸い込む吸込口と、
吸い込んだ空気を送出する吹出口と、
前記吸込口と吹出口とを連通させる送風路と、
前記送風路に配される送風ファンと、
前記送風路に配される環境条件検出手段と、
前記吹出口を閉塞する手段と、
前記送風ファンと前記吹出口を閉塞する手段とを制御するとともに、計時機能を備える制御装置と、を備える送風装置において、
前記送風装置の待機時に、前記送風ファンを所定時間ごとに間欠運転する場合に前記吹出口を閉塞することを特徴とする送風装置。
【請求項２】
前記吹出口を閉塞する手段は、風向変更手段であることを特徴とする請求項１に記載の送風装置。
【請求項３】
前記吹出口の方向を左右に回動させる回動機構をさらに備え、
前記送風装置の待機時に、前記吹出口を回動範囲の左端、または右端に向けることを特徴とする請求項１又は２に記載の送風装置。
【請求項４】
室内の空気を吸い込む吸込口と、
吸い込んだ空気を送出する吹出口と、
前記吸込口と吹出口とを連通させる送風路と、
前記送風路に配される送風ファンと、
前記送風路に配される環境条件検出手段と、
前記吹出口の方向を左右に回動する手段と、
前記送風ファンと前記回動手段とを制御するとともに、計時機能を備える制御装置と、を備える送風装置において、
前記送風装置の待機時に、前記送風ファンを所定時間ごとに間欠運転する場合に、前記吹出口を回動範囲の左端、または右端に向けることを特徴とする送風装置。
【請求項５】
さらに異常を報知する手段を有し、
前記環境条件によって検出した環境条件が、所定の範囲を逸脱する場合に警報を発することを特徴とする請求項１から４のいずれかに記載の送風装置。
【発明の詳細な説明】
【技術分野】
【０００１】
本発明は送風装置の待機時制御に関する。
【背景技術】
【０００２】
特許文献１には従来の空気清浄機が開示されている。この空気清浄機は送風手段、空気清浄手段、および室内空気の汚れを検知する検知手段を備える。空気清浄機を運転して、室内環境の汚れが減少したことを検知すると汚れ検知手段への通電を停止して消費電力を低減することを開示する。
【０００３】
特許文献２には同じく従来の空気清浄機が開示されている。この空気清浄機は送風手段、空気清浄手段、および室内空気の汚れを検知する検知手段を備える。空気清浄機が運転を行わない状態で待機しているとき、汚れ検知手段の加熱部への通電を間欠的に停止、または低減して消費電力を低下させることを開示する。
【先行技術文献】
【特許文献】
【０００４】
【特許文献１】特開２０１０−８９０４３号公報
【特許文献２】特開２０１１−１２７８２１号公報
【発明の概要】
【発明が解決しようとする課題】
【０００５】
しかしながら、上記従来の空気清浄機によると、待機時には送風を停止した状態であって、さらに空気汚れ検知手段の予熱を制御するので、汚れ検知手段の検出が遅れ、利便性が低下するという問題がある。
【０００６】
また、空気中の汚れに限らず温度、湿度その他の環境条件の変化を検出する検知手段を有する場合であっても反応が遅くなり、環境条件が急激に変化した場合の対応や利便性が低下する。
【０００７】
本発明は、待機時の環境変化の検知遅れを防止して利便性を向上しながらも、使用者に不快を感じさせない送風装置を提供することを目的とする。
【課題を解決するための手段】
【０００８】
上記目的を達成するために本発明の送風装置は、設置面に設置される設置部と、前記設置部上に立設して回動可能に配される回動部と、前記設置部と前記回動部との間に介在して前記回動部を前記設置部に対して往復回動させる回動機構と、前記回動部の表面に開口する吸込口及び吹出口と、前記回動部内に配して前記吸込口と吹出口とを連通させる送風路と、前記送風路に配される送風ファンと、環境条件を検出する検出手段と、前記回動部の外面に配して複数の操作ボタンを有する操作パネルと、前記操作パネルからの入力に対応して送風装置の動作を制御する制御装置と、を備え、使用者が運転指示を行わない待機時において、所定の時間ごとに前記送風ファンを低速で駆動しながら前記吸込口から吸気して環境条件検知手段へ到達させる。また、待機時に送風ファンが吸気した空気を吹出口から送出するときに、使用者が風を感じないように吹出口を閉塞する手段を有することを特徴とする。
【０００９】
また、本発明の送風装置は、待機時に送風ファンが吸気した空気を吹出口から送出するときに、使用者が風を感じないように吹出口の方向を変更して使用者に不快感を与えないことを特徴とする。
【００１０】
また、本発明の送風装置は、待機時に送風する場合は、吹出口を閉塞するとともに、前記首振動作によって回動範囲の左端または右端方向に吹出口が向くように回転動作することを特徴とする。
【００１１】
また、本発明の送風装置は、人の存在を検出する手段を有し、待機時に送風する場合は前記首振動作によって人の存在を検出しない方向に吹出口が向くように回転動作することを特徴とする。
【００１２】
また、本発明の送風装置は、検出した環境条件が予め定めた温湿度条件を逸脱するときに警報を発することを特徴とする。
【発明の効果】
【００１３】
本発明によると、使用者が送風装置の運転を指示しない待機時において、使用者に不快な風を感じさせることなく環境条件の変化を素早く検出することが出来る。
【００１４】
また、予め定めた環境条件を逸脱した場合は、使用者に注意を促す警報を発する。
【図面の簡単な説明】
【００１５】
【図１】本発明の実施形態１の送風装置を示す正面側外観斜視図
【図２】本発明の実施形態１の送風装置を示す背面側外観斜視図
【図３】本発明の実施形態１の送風装置の内部構造を示す側面図
【図４】本発明の実施形態１の送風装置の操作パネルを示す正面図
【図５】本発明の実施形態１の送風装置の制御ブロック図
【図６】本発明の実施形態１の送風装置の首振動作を示すフローチャート
【図７】本発明の実施形態１の送風装置の待機時動作を示すフローチャート
【図８】本発明の実施形態１の送風装置の吹出口を閉塞した状態を示す図
【図９】本発明の実施形態１の送風装置の環境条件の判断基準を示す図
【図１０】本発明の実施形態２の送風装置の待機時動作を示すフローチャート
【図１１】本発明の実施形態３の送風装置の待機時動作を示すフローチャート
【図１２】本発明の実施形態４の送風装置を示す外観斜視図
【図１３】本発明の実施形態４の送風装置の待機時動作を示すフローチャート
【図１４】本発明の実施形態４の送風装置の制御ブロック図
【図１５】本発明の実施形態５の送風装置の外観斜視図
【発明を実施するための形態】
【００１６】
（実施形態１）
以下に本発明の実施形態について図面を参照して説明する。図１は実施形態１の送風装置１を前方から見た斜視図、図２は後方から見た斜視図、図３は外装カバーを外した側面図を示している。図１〜図３の白抜き矢印は送風装置による空気の流通経路及び流通方向を示している。
【００１７】
送風装置１は、上部に回動部２と下部に設置部３とを備える。回動部２は吹出口と、吸込口とを備え送風機構を収納する。設置部３の後部には電源コード８とその先端に設けた電源プラグ（不図示）とを備える。電源コード８を介して送風装置１は商用交流電源から電力の供給を受ける。
【００１８】
回動部２は、設置部３上に立設して回動可能に配される。回動部２は底面が円形で形成され、下部は円錐形状であって、上下方向略中央部から上端にかけては略直方体形状で形成される。回動部２の背面には回動部２に凹設した把持部１０が設けられる。使用者は把持部１０を把持して送風装置１を持ち運ぶ。また、回動部２は下部に首振りモータ２８を有し、首振りモータ２８を駆動すると、回動軸２ａを中心に左右に首振動作する。
【００１９】
回動部２は下部側面に開口する吸込口４と上部正面に開口する吹出口５と、送風通路２０とを備える。回動部２内に配される送風通路２０は上下方向に延びて吹出口５と送風ファン７とを接続させる。吸込口４には塵埃を捕集する不図示の集塵フィルタが配され、複数の通気孔を開口した通気板９が集塵フィルタの外側に外郭を兼ねて配される。
【００２０】
吸込口４から吸い込まれた空気は、集塵フィルタで粉塵を除去された後、送風ファン７に吸い込まれる。温度、湿度、埃などを検出する環境条件検出手段は、吸込口４から吹出口５までの送風経路途中のいずれかに配置される。温度検出手段、湿度検出手段、埃検出手段の各々の手段は、通常使用されるもので良く、広く市販されているものでもあり説明は省略する。
【００２１】
送風通路２０の空気流通方向の下流部は上方に向かって延びるとともに前方に向かって湾曲する。送風通路２０の下流部は５枚の仕切り板２１により６本の通風路２２に区分される。
【００２２】
通風路２２の入口部２３は後述するイオン発生装置３０の配置箇所のすぐ下流に位置し、出口部２４は吹出口５のすぐ上流に位置する。６本の通風路２２は入口部２３において送風装置１の前後方向に一列に並び、出口部２４において上下方向に一列に並ぶ。
【００２３】
通風路２２の出口部２４と吹出口５との間には６枚の可動ルーバー２５，２５、・・・が設けられる。可動ルーバー２５は各々上流端が５枚の仕切り板２１と、出口部２４の最下方の壁板２６とに連続して取り付けられる。可動ルーバー２５は、下流側がルーバーモータ２７に連結される。ルーバーモータ２７を駆動すると、６枚の可動ルーバー２５の下流側端部が揃って所定の周期で上下方向に変位する。
【００２４】
送風通路２０の下部には、シロッコファンから成る送風ファン７が配される。送風ファン７の吸気口（不図示）は吸込口４に隣接し、送風ファン７の排気口７ａは送通風路２０の入口部２３に上向きに接続される。送風ファン７は吸込口４から吸い込んだ空気を吹出口５に向かって流通させる。
【００２５】
送風ファン７の上方にはイオン発生装置３０が配置される。イオン発生装置３０により発生するイオンは、送風通路２０を流通する気流に含ませられる。
【００２６】
イオン発生装置３０は、送風ファン７に対して空気流通方向の下流側に配置されている。イオン発生装置３０は、正イオン発生部と負イオン発生部（いずれも不図示）を備える。正イオン発生部は正放電電極（不図示）を備え、負イオン発生部は負放電電極（不図示）を備える。二対の正放電電極及び負放電電極は各々針状に形成されて所定の間隔で並べて配置され、送風通路２０に臨んで配される。
【００２７】
イオン発生装置３０は、正放電電極、負放電電極に高圧電気発生回路で生成された高電圧が供給されて気中放電を発生させてイオンを放出する。ここで、イオン発生装置３０の正放電電極、負放電電極には交流波形またはパルス波形から成る電圧が印加される。
【００２８】
正放電電極には正電圧が印加され、コロナ放電によって水素イオンが空気中の水分と結合して主としてＨ＋（Ｈ２Ｏ）ｍ から成る正イオンを発生する。  負放電電極には負電圧が印加され、コロナ放電によって酸素イオンが空気中の水分と結合して主としてＯ２―（Ｈ２Ｏ）ｎから成る負イオンを発生する。ここで、ｍ 、ｎは任意の自然数である。Ｈ＋（Ｈ２Ｏ）ｍ 及びＯ２―（Ｈ２Ｏ）ｎは空気中の浮遊菌や臭い成分の表面で凝集してこれらを取り囲む。
【００２９】
そして、下記（１）式〜（３）式に示すように、両イオンの衝突により活性種である［・ＯＨ］水酸基ラジカルやＨ２Ｏ２ 過酸化水素を微生物等の表面上で生成して、この働きによって浮遊菌や臭い成分を破壊する。ここで、 ｍ’、ｎ’は任意の自然数である。
【００３０】
したがって、イオン発生装置３０が、送風通路２０の内部を流通する空気に対して、正放電電極及び負放電電極で放電により発生させた正イオン及び負イオンを含ませるように放出することにより、例えば室内の殺菌や脱臭を行うことができる。
Ｈ＋(Ｈ２Ｏ)ｍ＋Ｏ２−(Ｈ２Ｏ)ｎ→・ＯＨ＋１／２Ｏ２＋(ｍ＋ｎ)Ｈ2Ｏ・（１）
Ｈ＋(Ｈ２Ｏ)ｍ＋Ｈ＋(Ｈ２Ｏ)ｍ’＋Ｏ２―(Ｈ２Ｏ)ｎ＋Ｏ２−(Ｈ２Ｏ)ｎ’
→ ２・ＯＨ＋Ｏ２＋(ｍ＋ｍ'＋ｎ＋ｎ')Ｈ２Ｏ                 ・・・（２）
Ｈ＋(Ｈ２Ｏ)ｍ＋Ｈ＋(Ｈ２Ｏ)ｍ’＋Ｏ２−(Ｈ２Ｏ)ｎ＋Ｏ２−(Ｈ２Ｏ)ｎ’
→ Ｈ２Ｏ２＋Ｏ２＋(ｍ＋ｍ'＋ｎ＋ｎ')Ｈ２Ｏ                   ・・・（３）
回動部２の上面には操作パネル６が配される。また、回動部２の内部には制御装置６０が設けられる。図４は操作パネル６を示す正面図である。タッチパネルにより形成される操作パネル６には、複数の操作ボタンが設けられる。操作ボタンは運転ボタン６ａ、風量切替ボタン６ｂ、６ｃ、イオンモードボタン６ｄ、フィルタ交換ランプ６ｅ、リセットボタン６ｇ、首振ボタン６ｈ、及びルーバーボタン６ｊから成る。なお、操作パネル６は回動部２の外面に設けられてもよい。
【００３１】
運転ボタン６ａは、送風装置１の電源のＯＮ−ＯＦＦを切替え、電源をＯＮにすると送風ファン７およびイオン発生装置３０の駆動が開始される。風量切替ボタン６ｂ、６ｃは、送風装置１の風量を調整する。運転ボタン６ａは、首振り動作時にも位置が移動しないように回動軸２ａ上に配される
イオンモードボタン６ｄは、イオンの拡散度合いを変更することが出来、予め設定された運転モードの選択を可能にする。ＬＥＤ光源からなるフィルタ交換ランプ６ｅは、集塵フィルタ（不図示）の交換時期が来ると点灯する。リセットボタン６ｇは、フィルタ交換時に押圧して点灯したフィルタ交換ランプ６ｅを消灯する。
【００３２】
首振ボタン６ｈは、回動部２の首振動作の一時停止時に押圧されると首振動作を継続停止し、首振動作の継続停止時に押圧されると首振動作を開始する。首振動作は、左右方向の首振り角度を５段階で設定可能であり、首振ボタン６ｈをＯＮにすると、初期設定されている左右角度幅１５°で首振り動作を行う。首振り角度は、図示しないリモコンの首振ボタンを押すことで変更出来て、振り幅角度１５°→３０°→６０°→９０°→１２０°→１５°と循環設定される。
【００３３】
操作パネル６でされた操作は、制御装置６０に伝達され、図示しない内蔵するＣＰＵ（中央処理装置）で処理されて、送風ファン７、イオン発生装置３０他を駆動または停止する。図５に送風装置１の制御ブロックを示す。
【００３４】
送風装置１の電源投入後初めて首振ボタン６ｈが操作されたときに、制御装置６０は、回動部２を左右に回動させて左右首振りの中心となる位置を自動で検出し、記憶する。制御装置６０は、左右方向の中心位置を決定した後に、回動部２を左方向と右方向の振り幅が同じ角度となるように回動する。
【００３５】
図６は、送風装置１の通常運転における首振動作の処理を示すフローチャートである。ステップＳ１では使用者が各操作ボタンを接触して操作ボタンを操作したか否かが判断される。この時、各操作ボタンだけでなく操作ボタンの間のスペース６ｆに接触してもよい。接触を検知するとステップＳ２へ移行する。
【００３６】
ステップＳ２では、回動部２が首振動作中であるか否かを判断する。首振動作中の場合にはステップＳ４へ移行し、首振動作中ではない場合にはステップＳ３へ移行する。
【００３７】
ステップＳ３では、使用者の操作入力を受け付け操作に応じた動作が行われる。首振ボタン６ｈが操作された場合は首振が開始される。また、運転ボタン６ａが操作された場合は運転が停止される。
【００３８】
ステップＳ４では、送風装置１は首振動作中の場合には回動部２の首振動作を停止させる。首振動作が停止すると送風装置１は操作ボタンへの新たな入力を有効にし、ステップＳ５では、操作パネル６から使用者の操作入力があるか否かが判断される。操作入力がある場合にはステップＳ６へ移行し、操作が無い場合にはステップＳ７へ移行する。
【００３９】
ステップＳ６では、使用者からの操作を受け付け操作に応じた動作が行われる。この時、首振ボタン６ｈが操作された場合は、一時停止中の首振動作を継続して停止させる。
【００４０】
ステップＳ７では、回動部２の首振動作停止後、所定時間経過したか否かが判断される。所定時間経過した場合にはステップＳ８へ移行し、経過していない場合にはステップＳ５へ移行してステップＳ５〜Ｓ７が繰り返される。
【００４１】
ステップＳ８では、首振動作を継続して停止するか否かが判断される。停止の場合にはステップＳ１に戻る。停止でない場合はステップＳ９へ移行する。ステップ８では、送風装置１は回動部２の首振動作が再開される。
【００４２】
ルーバーボタン６ｊは、ルーバー２５、２５、・・・の上下首振動作のＯＮ−ＯＦＦを行う。上下首振動作の停止時に押圧されると上下首振動作を開始する。上下首振動作中に押圧されると上下首振動作を停止する。また、リモコンのルーバーボタンを操作することで、ルーバー２５の向きを水平→上向き→水平→下向き→水平と循環して変更し、各位置で静止させることが出来る。
【００４３】
各操作ボタンの間のスペース６ｆは、タッチパネルによって使用者が接触したことを検知することができる。
【００４４】
以上のような構成の送風装置１において、使用者が運転を指示しない待機時動作について説明する。待機時とは、電源コード８を電源に接続しているが、使用者が運転ボタン６aを操作せず、もしくはリモコンによるタイマー運転の終了によって送風装置1が運転を停止している状態である。この場合には、送風ファン７、イオン発生装置３０、ルーバー２５、首振りモータ２８の動作が停止し、それらに対応する表示も消灯している。
【００４５】
しかし、本発明においては、送風装置1の待機時には制御装置６０は常に通電されており、運転ボタン６a他の操作入力手段からの入力に対応可能な状態に保たれている。また、環境条件検出手段へも通電が継続されており、検出結果は制御装置６０へ出力されている。
【００４６】
本発明においては、送風装置１の待機時にも温度、湿度や空気の汚れ度を監視することが出来る。待機時動作について、図７に制御フローを示す。本発明においては、待機状態に入った時点で制御装置６０内の図示しないＣＰＵ（中央処理装置）が有する計時手段によって運転停止からの時間経過を計測する。同時に、ルーバー２５，２５の向きを上向きに変更して静止する。
【００４７】
次に、ステップ１１（Ｓ１１）によって操作パネル６から操作ボタンのいずれかが操作されたか否かの判断を行う。操作がされた場合（Ｓ１１でＹｅｓ）は操作内容を受け付け、待機状態を終了して運転動作に移行する。 操作がされない場合（Ｓ１１でＮｏ）には、そのまま待機状態を継続し、ステップ１２に移行する。
【００４８】
ステップ１２（Ｓ１２）で予め定めた所定時間２、例えば５分が経過したか否かを判断する。所定時間２が経過した場合（Ｓ１２でＹｅｓ）には、送風ファン７を起動させるだけの時間、例えば数秒から十数秒間運転を行って通電を停止する。これによって送風ファン７を、１００ｒｐｍ前後の回転数で回転させて環境条件検出手段へ吸い込んだ空気が到達するようにされる。
【００４９】
所定時間２は、送風装置１が環境条件を繰り返し検出する時間を定めるもので間欠運転の間隔を規定する。間欠運転を行う間隔は特に厳密を要しないが、余り間隔が短いと不要に電力を消費することになる。また、余り長いと夏季などでは監視の役を果たさなくなる。また、夏季は数分程度に間隔を短く、冬季は数十分程度に間隔を長くすると監視と省エネルギーを両立することが出来る。また、具体的には、待機時の室温が一定の温度、例えば２７℃を超えた時には間隔を短くし、２７℃未満の時には間隔を長くするなどの制御方法が採用される。
【００５０】
環境条件検出手段は、吸込口４と吹出口５との間の送風通路途中に設置されており、吹出口５や通気板９の通気孔を通じて周囲の空気と触れることが出来るが、送風ファン7による気流が当たることによって、より迅速に変化を検出する。
【００５１】
また、送風ファン7の運転は、ファンによる気流が環境条件検出手段に到達できればよく、吹出口５から気流が吹き出る必要はない。そのために、送風ファン７は、起動するに足るだけの幅を持ったパルス電流が供給される。
【００５２】
起動に必要な時間がモータの種類や特性によって異なるので、実験によってパルスの幅を定めることができる。送風ファン７の回転数が１００ｒｐｍ程度に達すれば、空気を吸い込んで環境条件検出手段に到達させるという目的を達することが出来るので、最も少ない回転数は、例えば、数秒から十数秒間だけ通電するようにパルス幅を設定することで実現できる。
【００５３】
ステップ１２（Ｓ１２）で予め定めた所定時間２が経過していない場合（Ｓ１２でＮｏ）は、ステップ１１（Ｓ１１）に戻って操作パネル６からの入力の有無を判断する。
【００５４】
本発明においては、吹出口５にはルーバー２５が複数設けられており、その風下側の端部を最上方へ移動させることで、各々のルーバー２５、２５が重なり合って鎧戸のようになって吹出口５から吹き出される気流を抑制することが出来る。図８にその時の状態を模式図で示す。
【００５５】
ルーバー２５，２５間に間隙が生じてもルーバー２５の向きが上向きであるため、漏れた気流は送風装置１の上方に向かって吹き出されるので、使用者に直接風が当たることが避けられる。
【００５６】
検出した環境条件が、所定の範囲内に有るのか否かの判断がステップ１３（Ｓ１３）で行われる。図９に環境条件の判断基準の一例を示す。温度、湿度条件が所定範囲にある場合、例えば図９中のＡまたはＢの領域にある場合には所定範囲内であると判断（Ｓ１３でＹｅｓ）して、ステップ１１に戻って操作の有無を判断する。
【００５７】
検出した温度、湿度が図９中のＣまたはＤの領域にある場合には、所定範囲を逸脱したと判断（Ｓ１３でＮｏ）して、警報を発するとともに表示を行う。その後、ステップ１１に戻って使用者の操作を待つ動作に移行する。
【００５８】
使用者が警報に気づき、操作パネル６から何らかの操作をすれば（Ｓ１１でＹｅｓ）待機時動作を終了して操作された内容の運転動作に移行する。
【００５９】
使用者が、警報が発生されているにも拘らず、送風装置１の操作を行わない場合（Ｓ１１でＮｏ）には、ステップ１１からステップ１３までを繰り返す。
【００６０】
使用者が、警報が発生されているにも拘らず、送風装置１の操作を行わずに他の空気調和機などで温湿度の調節を行った場合には、ステップ１３（Ｓ１３）で環境条件の変化が検出されて、ステップ１３の判断がＹｅｓと変わって、警報を停止するとともにＳ１１に戻って待機時動作を継続する。
（実施形態２）
本実施形態では、実施形態１と異なって吹出口５は閉塞せず、吹出口５の方向を変更する。本実施形態に関わる制御フローを図１０に示す。実施形態１と同じ部分には、同じ符号を付して説明を省略する。実施形態１で説明した送風装置１において、回動部２を左右方向に往復回動駆動することが可能であり、本実施形態では、待機時に送風ファン７を駆動する場合に、左右方向の回動範囲のどちらかの端に吹出口５を向けて静止させる。
【００６１】
回動範囲の端は、送風装置1の電源コード８が電源に接続され初めて首振りボタン６ｈが操作された段階で、認識されるので、電源供給自体が中断されない限り回動範囲の右端または左端に吹出口５を向けることが可能である。
【００６２】
使用者は一人で部屋にいる場合には、首振り機能を使用するときに、一般的に左右方向の回動範囲の中心付近に位置して使用する傾向があり、左右方向のどちらかの端に吹出口５を向けるだけで、吹出口５から気流が漏れ出ても直接使用者に気流が当たることが避けられる。
【００６３】
本実施形態では、待機時動作に入った時に、吹出口５を回動範囲の左端または右端に向けて静止する動作以外は、実施形態１と同じ動作をするので以降の説明を省略する。
（実施形態３）
本実施形態においては、ルーバー２５を上方に向けて吹出口５を閉塞することと、回動部２を回動範囲の左右どちらかの端に向けて静止させることの双方とも実施する。本実施形態の制御フローを図１１に示す。待機時動作に入って、ルーバー２５，２５、・・・、を上向きにして吹出口５を閉塞するとともに、吹出口５を回動範囲の左端または右端に向けて静止する。そのようにすることで、送風ファン７の回転数が多少ばらついても使用者への風当たり影響が少なくなり、回転数を厳重に監視する必要がなくなる。つまり、電流パルスの幅やモータの特性の幅にバラつきがあっても使用者に直接風が当たることなく、不快感を与えることが避けられるだけでなく、制御ソフトの簡素化が図れる。
【００６４】
制御フローにおける判断は、実施形態１または２と同じであり、送風ファンの運転制御についても、実施形態１や実施形態２と同様に行う。従って以降の説明は省略する。
（実施形態４）
図１２は実施形態４の送風装置１００を示す斜視図である。説明の便宜上、実施形態１と同様の部分には同一の符号を付している。本実施形態では実施形態１と異なり人感センサ１５が設けられる。その他の構成は実施形態１と同様である。
【００６５】
人感センサ１５は赤外線焦電センサであって、所定範囲内の人の存在の有無を検出する。人感センサ１５で人の存在を検出するようにした場合は、待機時の送風ファン７の間欠運転による気流送出を使用者が存在しない方向に向けて行うことが実施形態１の場合よりも確実になる。
【００６６】
人感センサ１５は、回動部２の前面に設けられて、例えば、送風装置１００の前方３ｍ、左右の角度幅１０°程度の範囲内に存在する人を検知する。人を検出する範囲は、人感センサの受光窓に配する光学フィルタでの調節や受光窓にスリットを設ける形状、受光窓を深井戸状にするなどの取付構造によって任意に設定することが出来る。
【００６７】
送風装置１００は、上下方向に細長い吹出口５を有する送風装置であり、送出される風は、層流となっているために拡散が少なく吹出口と同様の形状を保って搬送される。そのため左右方向に首振りすることで一定の領域に風を送ることが出来る。
【００６８】
図１３に実施形態４に関わる送風装置１００の制御フローを、図１４に制御ブロックを示す。実施形態１と同様に待機状態に入った時点で、経過時間の計測を開始するとともにルーバー２５，２５を上向きにして静止させる。
【００６９】
次にステップ２０（Ｓ２０）で、人感センサ１５からの入力の有無を判断する。所定範囲内に人の存在を検出した場合（Ｓ２０でＹｅｓ）には、首振りモータ２８を駆動して予め定めた首振り範囲区分の１段階だけ方向を変更して、再びステップ２０に戻る。例えば、首振り角１５°から首振り角３０°に変更して再び人の存在の有無を検出する動作を行うといった具合である。この動作を繰り返して人を検知しない方向を探す。
【００７０】
人感センサ１５が人を検出しなければ（Ｓ２０でＮｏ）、ステップ２１（Ｓ２１）に進んで操作パネル６からの入力の有無を判断する。操作があれば（Ｓ２１でＹｅｓ）待機時動作を終了して運転動作に移行する。
【００７１】
操作がなければ（Ｓ２１でＮｏ）ステップ２２（Ｓ２２）に進んで、所定時間２の経過を判断する。所定時間２は例えば５分である。所定時間２に満たなければ（Ｓ２２でＮｏ）、ステップ２１に戻って操作の有無を判断する。所定時間２が経過すれば（Ｓ２２でＹｅｓ）、送風ファン７を起動して数秒から十数秒間運転し環境条件検出手段に送風をする。
【００７２】
検出した環境条件が、所定の範囲内に有るのか否かの判断がステップ２３（Ｓ２３）で行われる。環境条件の判断基準は実施形態１と同じものを使用する。温度、湿度条件が所定範囲にある場合、例えば図９中のＡまたはＢの領域にある場合には所定範囲内であると判断（Ｓ２３でＹｅｓ）して、ステップ２１に戻って操作の有無を判断する。
【００７３】
検出した温度、湿度が図９中のＣまたはＤの領域にある場合には、所定範囲を逸脱したと判断（Ｓ２３でＮｏ）して、警報を発するとともに表示を行う。その後、ステップ２１に戻って使用者の操作を待つ動作に移行する。
【００７４】
使用者が、警報に気づき何らかの操作をすれば（Ｓ２１でＹｅｓ）待機時動作を終了して操作された内容の運転動作に移行する。
【００７５】
使用者が、警報が発生されているにも拘らず、送風装置１００の操作を行わない場合（Ｓ２１でＮｏ）には、ステップ２１からステップ２３までを繰り返す。
【００７６】
もしくは、  使用者が、警報が発生されているにも拘らず、送風装置１００の操作は行わずに他の空気調和機などで温湿度の調節を行った場合には、ステップ２２で所定時間２の経過後、ステップ２３（Ｓ２３）で環境条件の変化が検出されて、ステップ２３の判断がＹｅｓと変わって、警報を停止するとともに待機時動作を継続する。
（実施形態５）
本実施形態は、実施形態４で使用した人感センサ１５の代わりに撮影手段１６を使用する。その他の構成は実施形態４と同じである。外観図を図１５に示す。
【００７７】
本実施形態では、撮影手段として携帯電話等に搭載される小型カメラを使用する。得られた画像から人を抽出する方法については既に実用化されているのでこれを利用するとよい。また、画像を分析した結果を制御装置６０または周辺装置で記憶させておいて、制御フローの巡回に合わせて前後のデータを比較することで、人が所定範囲に入ったか、退出したかが分かるので、人が退出した場合にはすでに出した警報を停止するなどの制御も可能になる。
【００７８】
また、本実施形態で待機時動作の初めに、吹出口５を閉塞することを行うが、前述のとおりこの動作は省略することも可能である。
【産業上の利用可能性】
【００７９】
本発明は、環境条件検出手段を有する空気調和機や送風装置等において、利用することができる。
【符号の説明】
【００８０】
１      送風装置
２      回動部
２ａ    回動軸
３      設置部
４      吸入口
５      吹出口
６      操作パネル
７      送風ファン
８      電源コード
９      通気板
１０    把持部
１５    人感センサ
１６    撮影手段
２２    送風通路
３０    イオン発生装置
【図１】
2014238231.tif 000003
【図２】
2014238231.tif 000004
【図３】
2014238231.tif 000005
【図４】
2014238231.tif 000006
【図５】
2014238231.tif 000007
【図６】
2014238231.tif 000008
【図７】
2014238231.tif 000009
【図８】
2014238231.tif 000010
【図９】
2014238231.tif 000011
【図１０】
2014238231.tif 000012
【図１１】
2014238231.tif 000013
【図１２】
2014238231.tif 000014
【図１３】
2014238231.tif 000015
【図１４】
2014238231.tif 000016
【図１５】
2014238231.tif 000017